(57)【要約】【課題】複数の画像機器の共通機能や連携可能性をユーザが容易に把握することを可能にする。【解決手段】撮像手段と、前記撮像手段により複数の機器を撮影して得られた撮影画像を取得する第１の取得手段と、前記撮影画像に写っている各機器を認識する認識手段と、前記各機器の画像処理機能の情報を取得する第２の取得手段と、前記撮影画像を表示するとともに、前記認識された機器のうちに、共通の画像処理機能を有する機器の組み合わせがある場合、当該組み合わせの情報及び共通の画像処理機能の情報の少なくともいずれかを示す画像を表示する表示手段と、を備える表示装置。【選択図】図２
2017021656.tif 000002
【特許請求の範囲】
【請求項１】
撮像手段と、
前記撮像手段により複数の機器を撮影して得られた撮影画像を取得する第１の取得手段と、
前記撮影画像に写っている各機器を認識する認識手段と、
前記各機器の画像処理機能の情報を取得する第２の取得手段と、
前記撮影画像を表示するとともに、前記認識された機器のうちに、共通の画像処理機能を有する機器の組み合わせがある場合、当該組み合わせの情報及び共通の画像処理機能の情報の少なくともいずれかを示す画像を表示する表示手段と、
を備える表示装置。
【請求項２】
前記第２の取得手段は、設定を変更することにより複数の画像処理機能を切り替えて実行可能な機器については、当該複数の画像処理機能の情報を取得し、
前記表示手段は、前記認識された機器のうちに、前記切り替え可能な複数の画像処理機能のうちに少なくとも１つの共通の画像処理機能を有する機器の組み合わせがある場合、当該組み合わせの情報及び共通の画像処理機能の情報の少なくともいずれかを示す画像を表示する請求項１に記載の表示装置。
【請求項３】
前記組み合わせに含まれる機器に対し、前記共通の画像処理機能で動作するよう設定する設定手段をさらに備える請求項１又は２に記載の表示装置。
【請求項４】
ユーザからの指示の入力を受け付ける入力手段をさらに備え、
前記設定手段は、前記組み合わせに含まれる各機器が前記共通の画像処理機能で動作するよう設定するユーザからの指示が入力された場合に、前記組み合わせに含まれる機器に対し、前記共通の画像処理機能で動作するよう設定する請求項３に記載の表示装置。
【請求項５】
前記表示手段は、前記組み合わせが複数ある場合、組み合わせ毎に、前記共通の画像処理機能の情報を示す画像を表示する請求項１〜４のいずれか１項に記載の表示装置。
【請求項６】
前記認識手段は、前記各機器が有するマーカの画像を解析することにより、前記各機器を認識する請求項１〜５のいずれか１項に記載の表示装置。
【請求項７】
前記第２の取得手段は、前記各機器が有するマーカの画像を解析することにより、前記各機器の画像処理機能の情報を取得する請求項１〜６のいずれか１項に記載の表示装置。
【請求項８】
前記各機器と通信する通信手段をさらに備え、
前記第２の取得手段は、前記通信手段により前記各機器から各機器の画像処理機能の情報を取得する請求項１〜５のいずれか１項に記載の表示装置。
【請求項９】
ユーザから画像処理機能を指定する指示の入力を受け付ける入力手段をさらに備え、
前記表示手段は、前記認識された機器のうちに、前記ユーザに指定された画像処理機能を前記共通の画像処理機能として有する機器の組み合わせがある場合、前記認識された機器のうちどの機器が当該組み合わせに含まれる機器であるかを示す画像を表示する請求項１に記載の表示装置。
【請求項１０】
前記表示手段は、前記認識された機器のうちに、前記ユーザに指定された画像処理機能を前記共通の画像処理機能として有する機器の組み合わせが存在しない場合、前記認識された機器のうちに前記ユーザに指定された画像処理機能を共通の画像処理機能として有する機器の組み合わせが存在しないことを示す画像を表示する請求項９に記載の表示装置。
【請求項１１】
所定の機器の画像処理機能の情報を記憶している記憶装置から情報を取得する第３の取得手段をさらに備え、
前記認識された機器のうちに、前記ユーザに指定された画像処理機能を前記共通の画像処理機能として有する機器の組み合わせが存在しない場合、前記第３の取得手段は、前記記憶装置から、前記認識された機器と組み合わせることで、前記ユーザに指定された画像処理機能を前記共通の画像処理機能として有する機器の組み合わせが得られる候補機器の情報を取得し、
前記表示手段は、前記候補機器の情報を示す画像を表示する請求項９に記載の表示装置。
【請求項１２】
前記複数の機器には、複数の表示装置が含まれ、
前記第２の取得手段は、前記各表示装置の画像処理機能の情報及び前記各表示装置の校正の状態に関する情報を取得し、
前記表示手段は、前記認識した表示装置のうちに、共通の画像処理機能を有しかつ表示特性が互いに同じになるように校正された表示装置の組み合わせがある場合、前記認識された表示装置のうちどの機器が当該組み合わせに含まれる表示装置であるかを示す画像を表示する請求項１に記載の表示装置。
【請求項１３】
前記表示手段は、前記認識した表示装置のうちに、共通の画像処理機能を有しかつ少なくとも１つの表示装置について校正を行うことにより表示特性を互いに同じにすることができる表示装置の組み合わせがある場合、前記認識された表示装置のうちどの機器が当該組み合わせに含まれる表示装置であるかを示す画像を表示する請求項１２に記載の表示装置。
【請求項１４】
前記第２の取得手段は、前記各機器に設定されている画像処理機能の情報を繰り返し取得し、
前記表示手段は、前記第２の取得手段により繰り返し取得される情報に基づき、前記組み合わせに含まれる機器のうち少なくともいずれかの機器において画像処理機能の設定に変化があった場合、それを通知する画像を表示する請求項１〜１３のいずれか１項に記載の表示装置。
【請求項１５】
前記画像処理機能の情報は、表示、記録、伝送及び現像の少なくともいずれかの画像処理における画像データのサイズ、カラーフォーマット、ガンマ、色域及び現像可否の少なくともいずれかの設定の情報を含む請求項１〜１４のいずれか１項に記載の表示装置。
【請求項１６】
撮像手段を備える表示装置の制御方法であって、
前記撮像手段により撮像する工程と、
前記撮像手段により複数の機器を撮影して得られた撮影画像を取得する工程と、
前記撮影画像に写っている各機器を認識する工程と、
前記各機器の画像処理機能の情報を取得する工程と、
前記撮影画像を表示するとともに、前記認識された機器のうちに、共通の画像処理機能を有する機器の組み合わせがある場合、当該組み合わせの情報及び共通の画像処理機能の情報の少なくともいずれかを示す画像を表示する工程と、
を有する表示装置の制御方法。
【請求項１７】
撮像手段を備える表示装置の制御方法に係る各工程をコンピュータに実行させるプログラムであって、
前記撮像手段により撮像する工程と、
前記撮像手段により複数の機器を撮影して得られた撮影画像を取得する工程と、
前記撮影画像に写っている各機器を認識する工程と、
前記各機器の画像処理機能の情報を取得する工程と、
前記撮影画像を表示するとともに、前記認識された機器のうちに、共通の画像処理機能を有する機器の組み合わせがある場合、当該組み合わせの情報及び共通の画像処理機能の情報の少なくともいずれかを示す画像を表示する工程と、
をコンピュータに実行させるプログラム。
【発明の詳細な説明】
【技術分野】
【０００１】
本発明は、表示装置及びその制御方法に関する。
【背景技術】
【０００２】
近年、フルＨＤ（１９２０×１０８０）の４倍の解像度をもつ４Ｋ（３８４０×２１６０）とよばれる画像を撮影可能なカメラや、４Ｋの解像度を表示可能なディスプレイが登場してきている。４Ｋは、従来のフルＨＤの４倍の画素をもち、画像データの広い伝送帯域を必要とするため、ディスプレイに４Ｋ画像を表示する際には、複数本のＳＤＩケーブルを接続して表示する必要がある。
【０００３】
４Ｋカメラには、ＲＡＷ（センサ出力の生データ）で記録可能なカメラがある。４ＫのＲＡＷデータをディスプレイに表示するためには、ディスプレイが４Ｋ画像に対応していることに加え、ＲＡＷデータをデベイヤーしてＲＧＢデータに変換する機能が必要になる。さらに、ＲＡＷデータのフォーマットはメーカ毎に独自であるため、ＲＡＷデータを表示するにはディスプレイが当該ＲＡＷデータのフォーマットに対応している必要もある。
【０００４】
メーカ毎に仕様が異なる機能としては、画像データの階調を定義するガンマも挙げられる。近年のカメラは、従来の指数ガンマだけでなく、Ｌｏｇ（対数）ガンマも扱うことが可能である。このＬｏｇガンマにより、従来の指数ガンマよりも広いダイナミックレンジの画像データを扱うことできる。しかしながら、カメラから出力されたＬｏｇガンマの画像データを表示するためには、ディスプレイもＬｏｇガンマに対応している必要がある。また、Ｌｏｇガンマの曲線はメーカ毎に異なるため、あるメーカのＬｏｇガンマの画像データを表示するには、そのメーカのＬｏｇガンマに対応したガンマテーブルを使用する必要がある。また、色域についても、メーカ毎に独自に定義した色域が存在する。
【０００５】
このように、カメラやディスプレイ等の機器が処理する画像データの規格には、解像度（４Ｋ、２Ｋ等）、ＲＡＷデータのフォーマット、ガンマ、色域等、種々のものがあり、規格が互いに共通の機器同士でしか適切な処理が行えない。そのため、このような機器を複数接続して画像表示や画像記録等の処理を行う場合、ユーザは、各機器が処理する画像データの規格を適切に把握する必要がある。
【０００６】
ところで、スマート―フォンやタブレッド等の携帯端末の処理性能が飛躍的に向上し、広く普及している。これらの携帯端末にはカメラユニットがついており、携帯端末を撮像装置（カメラ）としても利用することができる。カメラを利用した機能の一つにＡＲ（Augmented Reality：拡張現実）がある。ＡＲとは、カメラによる撮像により得られた撮影
画像にオブジェクトの画像を合成することで、その画像の観察者に、そのオブジェクトが実際に存在するかのような観察体験を与えることができる技術である。オブジェクトの情報は、例えば、モノクロ２値の矩形を２次元に並べて構成したマーカ（ＡＲコード）により符号化する。空間にＡＲコードを配置してカメラで撮影することで、カメラから出力される撮影画像におけるＡＲコードの画像の位置に当該ＡＲコードに対応するオブジェクトの画像が重畳され、空間内にオブジェクトが存在するかのような合成画像が生成される。
【０００７】
ＡＲを用いて、プリンタやスキャナ等の機器が設置された空間を撮影して得られた撮影画像にそれらの機器の情報を示す画像を個別に合成することで、機器使用時のユーザビリティを向上させる技術がある。特許文献１には、プリンタやスキャナ等のネットワーク上の複数の装置を用いてデータ処理を実行する際に、ユーザが各装置の物理的な位置関係を容易に把握することができるように、ステータスを仮想空間に表示することが記載されて
いる。また、特許文献１には、プリンタ等による画像データの処理に伴うデータの流れを示すデータフロー情報を仮想空間に表示することも示されている。特許文献２には、ヘッドマウントディスプレイの画像データから空間内の機器を認識し、認識した機器を操作するためのユーザインターフェイスを表示し、ＡＲにより機器を操作する技術が記載されている。
【先行技術文献】
【特許文献】
【０００８】
【特許文献１】特開２０１３−１６１２４６号公報
【特許文献２】特開２０１３−１７２４３２号公報
【発明の概要】
【発明が解決しようとする課題】
【０００９】
従来技術では撮影画像に個々の機器の情報を表示するのみであったため、ユーザが撮影画像に写っている機器同士の共通機能や連携可能性の有無を把握することは難しかった。
本発明の目的は、複数の画像機器の共通機能や連携可能性をユーザが容易に把握することを可能にする技術を提供することである。
【課題を解決するための手段】
【００１０】
本発明は、撮像手段と、
前記撮像手段により複数の機器を撮影して得られた撮影画像を取得する第１の取得手段と、
前記撮影画像に写っている各機器を認識する認識手段と、
前記各機器の画像処理機能の情報を取得する第２の取得手段と、
前記撮影画像を表示するとともに、前記認識された機器のうちに、共通の画像処理機能を有する機器の組み合わせがある場合、当該組み合わせの情報及び共通の画像処理機能の情報の少なくともいずれかを示す画像を表示する表示手段と、
を備える表示装置である。
【００１１】
本発明は、撮像手段を備える表示装置の制御方法であって、
前記撮像手段により撮像する工程と、
前記撮像手段により複数の機器を撮影して得られた撮影画像を取得する工程と、
前記撮影画像に写っている各機器を認識する工程と、
前記各機器の画像処理機能の情報を取得する工程と、
前記撮影画像を表示するとともに、前記認識された機器のうちに、共通の画像処理機能を有する機器の組み合わせがある場合、当該組み合わせの情報及び共通の画像処理機能の情報の少なくともいずれかを示す画像を表示する工程と、
を有する表示装置の制御方法である。
【００１２】
本発明は、撮像手段を備える表示装置の制御方法に係る各工程をコンピュータに実行させるプログラムであって、
前記撮像手段により撮像する工程と、
前記撮像手段により複数の機器を撮影して得られた撮影画像を取得する工程と、
前記撮影画像に写っている各機器を認識する工程と、
前記各機器の画像処理機能の情報を取得する工程と、
前記撮影画像を表示するとともに、前記認識された機器のうちに、共通の画像処理機能を有する機器の組み合わせがある場合、当該組み合わせの情報及び共通の画像処理機能の情報の少なくともいずれかを示す画像を表示する工程と、
をコンピュータに実行させるプログラムである。
【発明の効果】
【００１３】
本発明により、複数の機器の共通機能や連携可能性をユーザが容易に把握することが可能になる。
【図面の簡単な説明】
【００１４】
【図１】実施例１が適用される機器群の各機器のブロック図
【図２】実施例１が適用される機器群の概要を示した図
【図３】実施例１の機能情報画像を表示する処理のフローチャート
【図４】実施例１の機能情報画像の表示位置について説明した図
【図５】実施例１の画像表示装置が２台あるパターンについて説明した図
【図６】実施例１の各機器の機能情報及び識別ＩＤを示す図
【図７】実施例１の機能情報取得処理を示す図
【図８】ペアリング可能な複数の画像表示装置の情報を表示する例を説明する図
【図９】実施例２が適用される機器群の各機器のブロック図
【図１０】実施例２の機能情報画像を表示する処理のフローチャート
【図１１】実施例２の機能情報画像を説明する図
【図１２】実施例２の機能情報画像を説明する図
【図１３】実施例３が適用される機器群の各機器のブロック図
【図１４】実施例３の機能情報画像を表示する処理のフローチャート
【図１５】実施例３の機能情報画像を説明する図
【図１６】実施例３の機能情報画像を説明する図
【図１７】実施例４が適用される機器群の各機器のブロック図
【図１８】実施例４の機能情報画像を表示する処理のフローチャート
【図１９】実施例４の機能情報画像を説明する図
【図２０】実施例５が適用される機器群の各機器のブロック図
【図２１】実施例５の機能情報画像を表示する処理のフローチャート
【図２２】実施例５の機能情報画像を説明する図
【図２３】実施例５の監視対象の連携設定を示す図
【図２４】実施例５の機能情報画像を説明する図
【図２５】ＡＲコードについて説明した図
【図２６】機能ＩＤと機能名の対応及び共通の画像処理機能を有する機器の例
【発明を実施するための形態】
【００１５】
（実施例１）
本発明の実施例１について説明する。実施例１は、カメラやディスプレイ等の複数の機器を利用して画像処理を行わせる際に、タブレットやスマートフォン等の携帯端末の画面上に、どの機器同士を組み合わせて連携動作させることが可能か情報表示する方法に関する。
実施例１に係る表示装置及びその制御方法の適用対象の機器群を図２に示す。機器群には画像表示装置１００、撮像装置１２０及び携帯端末１５０が含まれる。
撮像装置１２０は、動画を撮影可能なカメラである。撮像装置１２０の撮影により得られた撮影画像は画像ケーブル２１０により接続された画像表示装置１００へ出力され、画像表示装置１００により表示される。
【００１６】
携帯端末１５０には、カメラ１５１が搭載されている（図１参照）。携帯端末１５０は、カメラ１５１により複数の機器を撮影して得られた撮影画像に、当該機器に関する情報表示を行うことができる。例えば、撮影画像に写っている複数の機器を認識し、認識された機器のうちに、共通の画像処理機能を有する機器の組み合わせがある場合に、当該組み合わせの情報や、当該共通の画像処理機能の情報である。例えば、認識した機器がＬｏｇガンマで画像記録が可能なカメラ及びＬｏｇガンマの画像を表示可能なディスプレイの場
合、共通の画像処理機能はＬｏｇガンマである。この場合、携帯端末１５０は、これらのカメラとディスプレイの組み合わせや、これらのカメラとディスプレイで共通の画像処理機能がＬｏｇガンマであることを示す情報表示を、撮影画像の表示とともに行う。例えば、携帯端末１５０は、当該情報を示す画像を撮影画像に合成（重畳）することで、情報表示と撮影画像の表示とを行う。
【００１７】
実施例１では、携帯端末１５０のカメラ１５１で、撮像装置１２０と画像表示装置１００を撮影して得られた撮影画像に機能情報画像２４０を合成して、携帯端末画面２２０に示すような表示を行うことにより情報表示を行う。
画像表示装置１００、撮像装置１２０及び携帯端末１５０は、アクセスポイント２３０を介して無線ネットワーク１７０（図１参照）に接続しており、相互に通信が可能である。これにより、携帯端末１５０は、画像表示装置１００及び撮像装置１２０の画像処理機能の情報（機能情報）や現在の設定状態を取得することができる。また、携帯端末１５０から画像表示装置１００及び撮像装置１２０の設定を変更することもできる。
【００１８】
図１は、上記の機器群の機能構成を示すブロック図である。以下、各機器の機能構成について説明する。
（画像表示装置１００）
画像表示装置１００のブロック図について説明する。
入力部１０１は、撮像装置１２０から画像データを受信し、画像表示装置１００の内部で処理する画像データに変換し、表示画像制御部１０２に出力する。例えば、画像表示装置１００の内部で処理する画像データの信号タイミングが６０Ｈｚ、撮像装置１２０から入力される画像データの信号タイミングが３０Ｈｚとする。この場合、入力部１０１は、入力された画像データを６０Ｈｚの信号タイミングの画像データに変換して、表示画像制御部１０２に出力する。
【００１９】
表示画像制御部１０２は、入力部１０１から入力された画像データに対して、画像処理を施し、表示パネル１０３に出力する。表示画像制御部１０２が行う画像処理は、例えば、ガンマ変換、色域変換、カラーフォーマット変換等である。
表示パネル１０３は、液晶パネルや有機ＥＬ（Electro-Luminescence）パネルやＭＥＭＳ（Micro Electro Mechanical Systems）シャッター式パネル等の表示デバイスである。液晶パネルやＭＥＭＳシャッター式パネルは、画素毎に光の透過率を調節するが、パネル自身は発光しない。表示パネル１０３が液晶パネルやＭＥＭＳシャッター式パネル等を含む構成の場合、表示パネル１０３には光源となるバックライトも含まれる。一方、有機ＥＬパネルは、有機化合物から成る発光素子であり、自発光デバイスである。表示パネル１０３が有機ＥＬパネルを含む構成この場合、表示パネル１０３にはバックライトは含まれない。
【００２０】
ディスプレイ設定部１０４は、画像表示装置１００の設定を行う。例えば、画像表示装置１００のガンマをＬｏｇ（対数）ガンマに設定する場合、ディスプレイ設定部１０４は、表示画像制御部１０２にガンマテーブルをＬｏｇガンマに設定するように要求する。
表示装置通信部１０５は、無線ネットワーク１７０により、携帯端末１５０や撮像装置１２０と通信する。
【００２１】
（撮像装置１２０）
撮像装置１２０のブロック図について説明する。
撮像部１２１は、光学像を電気信号に変換し画像データとして出力する。撮像部１２１には、ＣＣＤ（charge-coupled device）やＣＭＯＳ（complementary metal-oxide semiconductor）等の撮像素子、シャッターユニット、レンズ等が含まれる。撮像部１２１は、撮像により得られた画像データを画像処理部１２３へ出力する。
出力部１２２は、画像処理部１２３により画像処理が施された画像データを、外部機器である画像表示装置１００に出力する。実施例１では、撮像装置１２０の出力する画像データのフォーマットは、２Ｋ（１９２０×１０８０）又は４Ｋ（３８４０×２１６０）のいずれかに設定できるものとする。
【００２２】
画像処理部１２３は、撮像部１２１から入力される画像データに対して画像処理を施して出力部１２２に出力する。
カメラ設定部１２４は、撮像装置１２０の設定を行う。カメラ設定部１２４は、例えば、撮像装置１２０の記録フォーマット、記録ガンマ、色域、出力する画像データのフォーマット等の設定を行う。
撮像装置通信部１２５は、無線ネットワーク１７０により、画像表示装置１００や携帯端末１５０と通信する。
【００２３】
（携帯端末１５０）
携帯端末１５０のブロック図について説明する。
カメラ１５１は、撮像手段であり、ＣＣＤやＣＭＯＳ等の撮像素子、シャッターユニット、レンズ等を有する小型のカメラユニットである。カメラ１５１は、撮像により得られた画像データを機器認識部１５３及び画像合成部１５８に出力する。
表示部１５２は、携帯端末１５０の画面を構成する表示手段である。表示部１５２は、画像合成部１５８から入力される画像データに基づく画像を表示する。
【００２４】
機器認識部１５３は、カメラ１５１により撮影して得られた撮影画像を取得する第１の取得手段であり、取得した撮影画像に写っている画像表示装置１００や撮像装置１２０等の各機器を認識する認識手段である。実施例１では、機器認識部１５３は、ＡＲコードに基づき機器を認識する。画像表示装置１００や撮像装置１２０の筺体は、機器の識別情報が符号化されたマーカであるＡＲコードを有する。機器認識部１５３は、撮影画像に含まれるＡＲコードの画像を解析することで、撮影画像に写っている機器を認識する。ＡＲコードは、印刷等により筺体に固定的に表示されたものや、画像表示装置１００や撮像装置１２０のように画面を有する機器の場合には画面に画像として表示されたものが考えられる。画像として表示されるＡＲコードは、例えば機器の設定や状態に応じて可変にすることもできる。
【００２５】
ＡＲコードの例を図２５に示す。画像表示装置２０２０に表示されたＡＲコード２０１０は、白黒２値をとる矩形が２次元に並べられて構成されるマーカであり、この２次元の並べ方によって、情報を埋め込む。
機器認識部１５３は、カメラ１５１で撮影して得られた撮影画像に含まれるＡＲコードの画像の形状から、各機器の空間的な位置関係を検出する。図２５に示すように正方形の形状を有するＡＲコードは、撮影画像において、カメラ１５１と機器との位置関係に応じて台形や菱形等に歪む。機器認識部１５３は、ＡＲコードのこの幾何学的な歪みに基づき、各機器の空間的な位置を検出する。
【００２６】
機器認識部１５３は、各機器の認識及び位置の検出が完了すると、各機器の識別情報を機能情報取得部１５５へ送信する。また、機器認識部１５３は、カメラ１５１で撮影して得られた撮影画像内の各機器の画像の位置（ＸＹ座標）を取得し、生成部１５７に送信する。機器認識部１５３は、例えば、画像解析により撮影画像内の各機器の画像を検出してその位置を取得しても良いし、また、撮影画像内のＡＲコードの画像の位置を検出してそれを各機器の画像の位置として取得しても良い。
【００２７】
端末通信部１５４は、無線ネットワーク１７０により、画像表示装置１００や撮像装置１２０と通信する。
機能情報取得部１５５は、機器認識部１５３が認識した各機器（ここでは撮像装置１２０と画像表示装置１００）の画像処理機能の情報（機能情報）を取得する第２の取得手段である。機能情報は、各機器が実行可能な画像処理の機能や設定に関する情報である。機能情報取得部１５５は、端末通信部１５４を介して、各機器から機能情報を取得する。機能情報取得部１５５は、取得した各機器の機能情報を機能情報処理部１５６に送信する。
【００２８】
機能情報処理部１５６は、機能情報取得部１５５が取得した各機器の機能情報に基づき、機器認識部１５３が認識した機器のうちに、共通の画像処理機能を有する機器の組み合わせがあるか判定する。機能情報処理部１５６は、そのような組み合わせがある場合、当該組み合わせの情報及び当該共通の画像処理機能の情報の少なくともいずれかを生成部１５７へ出力する。例えば、撮像装置１２０が４Ｋ画像の撮影が可能で、かつ画像表示装置１００が４Ｋ画像の表示が可能な場合には、「４Ｋ表示」が共通の画像処理機能である。機能情報処理部１５６は、共通の画像処理機能の情報を生成部１５７に送信する。
【００２９】
なお、各機器が、設定を変更することにより複数の画像処理機能を切り替えて実行可能な機器である場合、機能情報取得部１５５は、当該複数の画像処理機能の情報を取得する。この場合、機能情報処理部１５６は、認識した機器のうちに、切り替え可能な複数の画像処理機能のうちに少なくとも１つの共通の画像処理機能を有する機器の組み合わせがあるか判定する。そのような組み合わせがある場合、当該組み合わせの情報及び共通の画像処理機能の情報の少なくともいずれかを生成部１５７へ出力する。
【００３０】
生成部１５７は、機能情報処理部１５６から入力される共通の画像処理機能の情報に基づき、当該共通の画像処理機能の情報を示す画像（機能情報画像）を生成する。生成部１５７は、生成した画像を画像合成部１５８に出力する。
図２に一例を示す。図２において、機能情報画像２４０として表示されている画像が、生成部１５７により生成される、画像表示装置１００と撮像装置１２０の共通の画像処理機能の情報を示す画像である。機能情報画像が撮影画像とともに携帯端末１５０の画面に表示されることにより、ユーザは、例えば、撮像装置１２０を画像表示装置１００に接続して４Ｋ画像を表示させるという連携動作が可能であることを把握することができる。
生成部１５７は、機器認識部１５３から取得した画像表示装置１００と撮像装置１２０の画像の位置情報（ＸＹ座標）に基づいて、画像表示装置１００と撮像装置１２０の画像に重ならないように、機能情報画像２４０の表示位置を決定する。生成部１５７は生成した機能情報画像２４０の画像とその表示位置の情報とを画像合成部１５８に出力する。
【００３１】
図４に他の例を示す。図４（Ａ）と図４（Ｃ）は、撮像装置１２０と画像表示装置１００が接続された状態を、カメラ１５１で異なる視点から撮影して得られた撮影画像を示す。それぞれの撮影画像において機能情報画像４１０，４２０を表示したものが図４（Ｂ）と図４（Ｄ）である。それぞれ、撮像装置１２０と画像表示装置１００の画像の位置に応じて、それらの機器の画像に重ならない位置に、機能情報画像４１０，４２０が表示されている。
【００３２】
なお、撮影画像中に、機能情報画像だけでなく、各機器の情報を示す画像も表示されるようにしても良い。その場合、生成部１５７は、機器情報を示す画像を生成し、例えば撮影画像における各機器の画像の近傍に機器情報が表示されるように表示位置を決定し、機器情報の画像を画像合成部１５８に出力する。例えば、撮像装置１２０に関する機器情報は、撮像装置１２０の画像の近くに表示する。
画像合成部１５８は、カメラ１５１から入力される撮影画像と、生成部１５７から入力される機能情報画像とを合成して、合成画像を表示部１５２に出力する。
【００３３】
機器操作部１５９は、各機器に対し、所定の画像処理機能で動作するよう設定する設定
手段である。実施例１では、機能情報処理部１５６により共通の画像処理機能があると判定された機器の組み合わせがある場合に、当該組み合わせに含まれる機器に対し、当該共通の画像処理機能で動作するよう設定する。図２の例では、機器操作部１５９は、撮像装置１２０と画像表示装置１００の設定を変更する。例えば共通の画像処理機能が「４Ｋ表示」である場合、各機器の連携により実際に４Ｋ画像表示ができるように、機器操作部１５９は、無線ネットワーク１７０を介して、各機器に対して４Ｋ表示に対応する動作を行うよう指示を出す。ここでは、機器操作部１５９は、撮像装置１２０のカメラ設定部１２４及び画像表示装置１００のディスプレイ設定部１０４に対して、それぞれの機器の設定を４Ｋ表示に対応させるよう要求する。画像表示装置１００は、設定により２Ｋ表示と４Ｋ表示のいずれも可能であるところ、この要求に応じて４Ｋ表示に対応するよう設定されることになる。
【００３４】
実施例１における、撮像装置１２０と画像表示装置１００の機能情報画像を表示する処理を図３のフローチャートを用いて説明する。
（Ｓ３０１）
ステップＳ３０１において、携帯端末１５０のカメラ１５１は、ユーザの携帯端末１５０の操作（例えば撮影ボタンを押す操作）に応じて、図２に示すように画像表示装置１００と撮像装置１２０を撮影する。カメラ１５１は、撮影画像を画像合成部１５８に出力する。画像合成部１５８は、撮影画像を表示部１５２に出力する。これにより、携帯端末１５０の画面上にカメラ１５１により撮影された画像が表示（撮影画像のライブ表示）される。カメラ１５１は、撮影画像を機器認識部１５３に出力する。
【００３５】
（Ｓ３０２）
ステップＳ３０２において、機器認識部１５３は、撮影画像に写っているＡＲコードを検出し、ＡＲコードに符号化されている情報に基づき、撮影画像に写っている機器を認識する。ＡＲコードの解析により得られる情報の例を図７（Ａ）に示す。画像表示装置１００のＡＲコードを解析して得られた情報は、識別ＩＤ「ＩＤ−１３７８−３５７８」、型番「ＤＩＳＰ−２０Ｘ」であるとする。撮像装置１２０のＡＲコードを解析して得られた情報は、識別ＩＤ「ＩＤ−６９８４−８７３５」、型番「ＣＡＭ−１０Ｄ」であるとする。機器認識部１５３は、ＡＲコードを解析して得られた、撮影画像に写っている各機器の識別情報（識別ＩＤ、型番のリスト）を、機能情報取得部１５５に通知する。
【００３６】
（Ｓ３０３）
ステップＳ３０３において、機器認識部１５３は、撮影画像に写っている機器を認識できたか判定する。機器を認識できなかった場合は、処理を終了する。この場合、携帯端末１５０は、通常のカメラ１５１の撮影画像をライブ表示した状態を維持する。機器を認識できた場合は、ステップＳ３０４に進む。
【００３７】
（Ｓ３０４）
ステップＳ３０４において、機器認識部１５３は、認識した機器が２台以上であるか判定する。認識した機器が１台のみの場合には、処理を終了する。図２の例では、認識した機器は２台であるため、ステップＳ３０５に進む。
【００３８】
（Ｓ３０５）
ステップＳ３０５において、機能情報取得部１５５は、各機器の識別情報に基づき、各機器の機能情報を取得する。
まず、携帯端末１５０が撮像装置１２０の機能情報を取得する処理について図７（Ｄ）に示すシーケンスにより説明する。携帯端末１５０の機能情報取得部１５５は、ステップＳ３０２で取得した撮像装置１２０の識別ＩＤを無線ネットワーク１７０経由でブロードキャスト送信して、ネットワーク上に撮像装置１２０が存在するか問い合わせる。撮像装
置１２０の撮像装置通信部１２５は、撮像装置１２０に対応する識別ＩＤのブロードキャストを受信すると端末通信部１５４にＡＣＫを返す。次に、機能情報取得部１５５は、カメラ設定部１２４に撮像装置１２０の機能情報を送信するように要求する。カメラ設定部１２４は、機能情報の取得要求に応じて、図６（Ｃ）に示す撮像装置１２０（型番ＣＡＭ−１０Ｄ）の機能情報を機能情報取得部１５５に返信する。
【００３９】
機能情報取得部１５５は、画像表示装置１００についても同様に、端末通信部１５４、表示装置通信部１０５を介して、画像表示装置１００のディスプレイ設定部１０４に、画像表示装置１００の機能情報を送信するように要求する。画像表示装置１００のディスプレイ設定部１０４は、図６（Ａ）に示す画像表示装置１００（型番ＤＩＳＰ−２０Ｘ）の機能情報を機能情報取得部１５５に返信する。
【００４０】
（Ｓ３０６）
ステップＳ３０６において、機能情報取得部１５５は、ステップＳ３０２で認識した全ての機器の機能情報を取得完了したか判定する。完了していない場合ステップＳ３０５に戻り機能情報を未取得の機器について同様の処理を繰り返す。全ての機器の機能情報の取得が完了した場合、機能情報取得部１５５は、取得した各機器の機能情報をまとめて機能情報処理部１５６に出力する。なお、ここでは、全ての機器の機能情報の取得が完了した後にまとめて全ての機器の機能情報を機能情報処理部１５６に出力する例を説明したが、各機器について機能情報を取得するたびにその機能情報を機能情報処理部１５６に出力するようにしても良い。また、上述した画像処理機能の情報（機能情報）は一例である。図６（Ａ）〜図６（Ｄ）に示すように、機能情報には、種々のものがある。例えば、機能情報は、表示、記録、伝送及び現像の少なくともいずれかの画像処理における画像データのサイズ、カラーフォーマット、ガンマ、色域及び現像可否の少なくともいずれかの設定の情報を含む。
【００４１】
（Ｓ３０７）
ステップＳ３０７において、機能情報処理部１５６は、各機器の機能情報に基づき、共通の画像処理機能を抽出して、生成部１５７に出力する。図２の例では、画像表示装置１００と撮像装置１２０の機能情報はそれぞれ図６（Ａ）と図６（Ｃ）に示す通りである。この機能情報によれば、共通の画像処理機能は、４Ｋ（３８４０×２１６０）表示、Ｌｏｇガンマ、ＤＣＩ（Digital Cinema Initiatives）色域等である。
【００４２】
共通の画像処理機能の抽出方法の一例を、以下に示す。種々の機器が有する種々の画像処理に係る機能には個別の識別情報（機能ＩＤ）が付与されているものとする。共通機能や連携可能性がある機能や設定には同一のＩＤが付与され、機能ＩＤに基づき、各機器が実行する画像処理に共通機能や連携可能性があるか否かを判断することができる。２つの機器の機能情報のうちに、機能ＩＤが同じである画像処理機能がある場合、当該画像処理機能に関して当該２つの機器は共通機能を有し連携動作が可能であると判断することができる。すなわち、２つの機器同士で共通の画像処理の画像処理機能があるとは、２つの機器の機能情報のうちに機能ＩＤが同一の機能が共通に含まれていることを意味する。このような機器同士の組み合わせにより、例えば画像ケーブルで接続することで、当該共通の画像処理機能に基づく画像処理（表示、記録等）を実行可能であることを意味する。
【００４３】
図６（Ａ）と図６（Ｃ）を参照すると、例えば、ＤＣＩ色域の機能ＩＤ「ＣＳ＿ＤＣＩ」が画像表示装置１００と撮像装置１２０の両方に共通に含まれている。撮像装置１２０は画像入力機器であり、画像表示装置１００は画像出力機器である。従って、これら画像表示装置１００と撮像装置１２０の組み合わせにより、ＤＣＩ色域という画像処理機能で、画像表示を行うという画像処理が実行可能であることが判定できる。
【００４４】
機能情報処理部１５６は、画像表示装置１００と撮像装置１２０の両方の機能情報のうちに共通に含まれている機能ＩＤを共通の画像処理機能として抽出する。図６（Ａ）と図６（Ｃ）の例では、共通の画像処理機能の機能ＩＤは、「ＣＬ＿ＲＧＢ」、「ＣＬ＿ＹＵＶ」、「ＧＭ＿２２」、「ＧＭ＿ＬＯＧ」、「ＣＳ＿ＤＣＩ」、「ＣＳ＿ＳＲＧＢ」、「ＦＭＴ＿２」、「ＦＭＴ＿４」である。このように共通の画像処理機能は多数ある場合もあるが、実施例１では、特徴的な３つの共通の画像処理機能である「ＦＭＴ＿４」、「ＧＭ＿ＬＯＧ」、「ＣＳ＿ＤＣＩ」に着目して説明する。機能情報処理部１５６は、抽出した共通の画像処理機能の情報を生成部１５７に出力する。なお、機能情報処理部１５６は、共通の画像処理機能のうち特定のもののみを抽出して生成部１５７に出力する場合、ユーザに予めどの画像処理機能を共通の画像処理機能として抽出するか指定させるようにしても良い。また、機能情報処理部１５６は、全ての共通の画像処理機能を生成部１５７に出力しても良い。
【００４５】
（Ｓ３０８）
ステップＳ３０８において、生成部１５７は、共通の画像処理機能の情報を示す画像を生成し、画像合成部１５８に出力する。生成部１５７は、図２６（Ａ）に示す機能ＩＤとそれを表す名称である機能名との予め定められた対応関係を参照する。そして、ステップＳ３０７で抽出した共通の画像処理機能の機能ＩＤに対応する機能名を特定し、当該機能名を用いて共通の画像処理機能の情報を示す画像を構成する。機能ＩＤ「ＦＭＴ＿４」、「ＧＭ＿ＬＯＧ」、「ＣＳ＿ＤＣＩ」に対応する機能名は、図２６（Ａ）によれば、それぞれ「４Ｋ画像表示」、「Ｌｏｇガンマ」、「ＤＣＩ色域」である。生成部１５７は、これらの文字列を用いて共通の画像処理機能の情報を示す画像を生成する。生成部１５７は、機器認識部１５３から取得した撮影画像における各機器の画像の位置情報（ＸＹ座標）に基づき、各機器の画像にかぶらないように、撮影画像における共通の画像処理機能の情報の画像の位置を決定する。
【００４６】
（Ｓ３０９）
ステップＳ３０９において、画像合成部１５８は、カメラ１５１から出力される撮影画像に共通の画像処理機能の情報の画像を合成し、合成画像を表示部１５２に出力する。これにより、携帯端末１５０の画面上に、図２に示したような機能情報画像２４０が表示される。
【００４７】
（Ｓ３１０）
ステップＳ３１０において、共通の画像処理機能として抽出された機能設定で実際に各機器が動作するように、機器操作部１５９は、各機器に設定指示を送る。
ここで、図２に示す携帯端末１５０は、ユーザによる指示を受け付ける入力手段として、操作ボタン、キーボード及びタッチパネルの少なくともいずれかを有するものとする。これらの入力手段は機器操作部１５９の機能の一部であるとする。また、ステップＳ３０９において画面上に表示された機能情報画像２４０は、ユーザによる指示入力を補助するＧＵＩ（Graphical User Interface）として機能するものとする。例えば、ユーザは、操作ボタンの矢印キー及び決定キーの操作により、機能情報画像２４０に表示された共通の画像処理機能のうち少なくともいずれかを選択する指示を入力することができる。あるいは、ユーザは、画面に対し、機能情報画像２４０に表示された共通の画像処理機能のうち少なくともいずれかの文字列の位置をタッチするタッチ操作を行っても良い。これにより、機能情報画像２４０に表示された共通の画像処理機能のうち少なくともいずれかを選択する指示を入力することができる。機器操作部１５９は、ユーザに選択された画像処理機能の情報に基づき、撮像装置１２０及び画像表示装置１００に対して、当該選択された画像処理機能で動作をするよう要求する。
【００４８】
例えば、図２の機能情報画像２４０において、ユーザが「ＤＣＩ色域」を選択する操作
を行った場合、機器操作部１５９は、撮像装置１２０及び画像表示装置１００に対して、色域の設定をＤＣＩに変更するように要求する。無線ネットワーク１７０を介してこの要求を受信した撮像装置１２０のカメラ設定部１２４は、画像処理部１２３の色域変換設定をＤＣＩに変更する。また、無線ネットワーク１７０を介してこの要求を受信した画像表示装置１００のディスプレイ設定部１０４は、表示画像制御部１０２の色域変換設定をＤＣＩに変更する。このような処理により、撮影画像に写っている複数の機器は、実際に共通の画像処理機能（ＤＣＩ色域）に基づく画像処理を行うよう設定される。
【００４９】
認識された機器のうちに、共通の画像処理機能を有する機器の組み合わせが複数ある場合について説明する。このような場合、生成部１５７は、組み合わせ毎に、共通機能情報画像を生成する。
図５に、画像表示装置が２台ある場合の機能情報画像の表示例を示す。図５に、各機器の識別ＩＤを示す。この識別ＩＤはＡＲコードを解析することにより取得される。図７（Ｂ）に識別ＩＤと各機器の型番リストとの対応表を示す。この対応表の情報は携帯端末１５０の機器認識部１５３が記憶している。機器認識部１５３は、対応表と識別ＩＤとを対照させる。これにより、図５の撮影画像に写っている機器の型番をそれぞれ画像表示装置（Ａ）５４０は型番ＤＩＳＰ−２０Ｘ、画像表示装置（Ｂ）５３０は型番ＤＩＳＰ−１００Ｐ、撮像装置５５０は型番ＣＡＭ−１０Ｄとして認識する。これら認識された各機器の型番情報及び識別ＩＤは機能情報取得部１５５に送られ、機能情報取得部１５５は識別ＩＤに基づき各機器の機能情報をネットワーク経由で取得する。取得される機能情報を図６（Ａ）〜図６（Ｃ）に示す。
【００５０】
ステップＳ３０７において、機能情報処理部１５６は、撮像装置５５０と画像表示装置（Ａ）５４０の共通の画像処理機能として、図６（Ａ）と図６（Ｃ）の機能情報に基づき、「４Ｋ（３８４０×２１６０）表示」、「Ｌｏｇガンマ」、「ＤＣＩ色域」を抽出する。そして、ステップＳ３０８において、生成部１５７は、図５の機能情報画像（Ａ）５１０に示すような画像を生成する。
【００５１】
また、ステップＳ３０７において、機能情報処理部１５６は、撮像装置５５０と画像表示装置（Ｂ）５３０の共通の画像処理機能として、図６（Ｂ）と図６（Ｃ）の機能情報に基づき、「２Ｋ（１９２０×１０８０）表示」、「ｓＲＧＢ色域」を抽出する。ステップＳ３０８において、生成部１５７は、図５の機能情報画像（Ｂ）５２０に示すような画像を生成する。
画像表示装置（Ｂ）５３０は、画像表示装置（Ａ）５４０のように４Ｋ表示やＤＣＩ色域表示の画像処理は実行できないが、２Ｋ表示やｓＲＧＢ色域表示の画像処理は実行できる。画像表示装置（Ｂ）５３０は、撮像装置５５０との組み合わせにおいて、共通の画像処理機能である２Ｋ表示やｓＲＧＢ色域表示の画像処理を実行できることになる。画像表示装置（Ａ）５４０は、撮像装置５５０との組み合わせにおいて、共通の画像処理機能である４Ｋ表示やＤＣＩ色域表示の画像処理は実行できる。
【００５２】
そのため、図５の例では、撮影画像に写っている３つの機器のうちに、共通の画像処理機能がある機器の組み合わせが２通り存在する（画像表示装置（Ａ）５４０と撮像装置５５０の組み合わせ、及び、画像表示装置（Ｂ）５３０と撮像装置５５０の組み合わせ）。
生成部１５７は、組み合わせ毎に、共通の画像処理機能の情報を示す画像を生成して撮影画像と合成する。携帯端末１５０の画面には、機能情報画像（Ａ）５１０と、これとは内容の異なる機能情報画像（Ｂ）５２０とが表示される。機能情報画像（Ａ）５１０と機能情報画像（Ｂ）５２０のうち、ユーザがどちらを選択するかによって、機器操作部１５９の動作が異なることになる。例えば、ユーザが機能情報画像（Ｂ）５２０の「２Ｋ画像表示」を選択したとすると、機器操作部１５９は、画像表示装置（Ｂ）５３０と撮像装置５５０に対し、それぞれの機器を２Ｋ表示ができるように設定するよう要求する。
【００５３】
以上、実施例１においては、タブレットのような携帯端末のカメラで複数の機器を撮影して得られた撮影画像から各機器を認識し、認識した機器のうち共通の画像処理機能の情報を有する組み合わせを求め、機能情報画像を撮影画像に合成（重畳）して表示する。ユーザは、この画像を参照することにより、複数の機器のうち連携動作が可能な機器の組み合わせを容易に把握することができる。ユーザは、複数の機器のうちに、初めて操作する機器や機能を把握していない機器があっても、所望の画像処理を行わせるにはどの機器同士を接続すればよいのか等の連携可能性や共通機能の情報を容易に理解でき、利便性が増す。
【００５４】
実施例１の機器の認識方法について、ＡＲコードを用いる例について説明したが、これに限定されるわけではない。例えば、可視光通信等の他の手段でもかまわない。可視光通信とは、無線通信の一種であり、ＬＥＤ（Light Emitting Diode）等の光源を高速点滅させ、その点滅パターンによって、情報を送受信する技術である。例えば、ディスプレイのバックライトや電源ランプ等のインジケータのＬＥＤを高速に点滅させ、その点滅する可視光をタブレット等のカメラのイメージセンサで撮影することによって、機器の識別情報等の情報を取得する方法を用いることもできる。
【００５５】
なお、実施例１において、機能ＩＤに基づき共通の画像処理機能の抽出を行う例を説明したが、共通の画像処理機能の抽出方法はこれに限らない。例えば、共通の画像処理機能が存在するような機器の組み合わせパターンを予め求めて記憶しておき、これを参照して、撮影画像に写っている複数の機器のうち共通の画像処理機能を有する機器の組み合わせを求めても良い。図２６（Ｂ）に一例を示す。図２６（Ｂ）を参照すると、例えば、ＣＡＭ−１０ＤとＤＩＳＰ−２０Ｘとの組み合わせは、４Ｋ画像表示を共通の画像処理機能として有することわかる。よって、機器認識部１５３により認識された機器のうちにＣＡＭ−１０ＤとＤＩＳＰ−２０Ｘが存在すれば、それらの組み合わせは共通の画像処理機能を有すると判断することができる。すなわち、上述した機能情報取得部１５５による機能情報の取得や一致する機能ＩＤの探索に基づく機能情報処理部１５６による共通の画像処理機能の抽出を行うことなく、共通の画像処理機能を有する組み合わせを求めることができるため、処理を簡略化できる。また、図６（Ａ）〜図６（Ｄ）のような機能ＩＤを機器に登録しておく必要もなくなる。
【００５６】
なお、実施例１では携帯端末のカメラを使って機器を認識する例を説明したが、撮像装置にＡＲ機能を搭載して機器の認識処理を行っても良い。また、実施例１では、撮影画像に機能情報画像を合成して表示する例を説明したが、撮影画像に合成する画像により示す情報はこれに限らない。例えば連携可能な機器に関するマニュアルを表示するようにしてもよい。
【００５７】
（変形例１）
次に、撮影画像に含まれる機器が複数の表示装置である場合に、共通の画像処理機能を有しかつ表示特性が互いに同じになるように校正された表示装置の組み合わせを求め、当該組み合わせに含まれる表示装置を示す機能情報画像を表示する例を説明する。
複数のディスプレイを組み合わせて画像診断に使用する場合がある。例えば、マンモグラフィ診断では、２台のディスプレイを並べて、前回の診察時の画像と、今回の診察時の画像とを比較して診断することがある。このような画像診断においては、正確な診断を行うために、ディスプレイの機能が一致しているだけでなく、表示画質（表示特性）も同一になるように校正されている必要がある。このようにディスプレイの機能が一致し、かつ表示特性も同一となるように校正された複数のディスプレイの状態を、ペアリング可能とよぶことにする。
【００５８】
ディスプレイが複数あったときに、それらがペアリング可能であるか否か、すなわち各ディスプレイの表示特性が同一であるか否かを、ユーザが目視で判断することは難しい。そこで、複数のディスプレイがペアリング可能であるか否かを示す情報を機能情報画像として携帯端末の画面に表示することができれば、画像診断においてユーザの利便性の向上につながる。また、複数のうち少なくとも１つのディスプレイを適切に校正すれば、複数のディスプレイがペアリング可能になることを示す情報を機能情報画像として携帯端末に表示しても、画像診断におけるユーザの利便性が向上する。
【００５９】
そこで、機能情報取得部１５５は、撮影画像から認識した各表示装置の画像処理機能の情報及び校正の状態に関する情報を取得する。校正の状態に関する情報とは、例えば、階調値と輝度との関係、ホワイトバランス、ガンマ特性、コントラスト等がどのように調整されているかを示す情報である。機能情報取得部１５５は、各表示装置の機能情報及び校正情報を無線ネットワーク１７０を介して各表示装置から取得する。この情報に基づき、機能情報処理部１５６は、認識した複数の表示装置のうち、共通の画像処理機能を有しかつ表示特性が互いに同じになるように校正された表示装置の組み合わせを求め、当該組み合わせに関する情報を生成部１５７に出力する。生成部１５７は、認識された表示装置のうちどの表示装置が当該組み合わせに含まれる表示装置であるかを示す機能情報画像を生成し、撮影画像と合成する。
【００６０】
また、機能情報処理部１５６は、複数の表示装置のうち、共通の画像処理機能を有しかつ少なくとも１つの表示装置について校正を行うことにより表示特性を互いに同じにすることができる表示装置の組み合わせを求める。機能情報処理部１５６は、当該組み合わせに関する情報を生成部１５７に出力する。生成部１５７は、当該組み合わせに係る表示装置を示すとともに、少なくとも１つの表示装置を校正すればペアリング可能になることを示す機能情報画像を生成し、撮影画像と合成する。図８の機能情報画像１０００は、生成部１５７により生成された機能情報画像の一例である。図８では、複数の表示装置のうち画像表示装置（Ａ）１０１０と画像表示装置（Ｂ）１０２０とが、共通の画像処理機能を有し、かつ、画像表示装置（Ｂ）１０２０を校正することにより両者がペアリング可能になることが機能情報画像１０００により示されている。このような機能情報画像を表示することにより、複数のディスプレイをペアリングして画像診断を行う場合のユーザの利便性が向上する。
【００６１】
（実施例２）
実施例２について説明する。実施例２では、ユーザから使用したい機能の指定を受け付け、ユーザに指定された機能を共通の画像処理機能として有する機器の組み合わせの情報を示す画像を撮影画像に合成して表示する。これにより、ユーザの所望の機能で画像処理を行わせることが可能な機器の組み合わせをユーザは容易に把握することができる。以下詳細に説明する。
【００６２】
図１１（Ａ）は、実施例２に係る表示装置及びその制御方法の適用対象の機器群を説明する図である。図１１（Ａ）の例では、４Ｋ表示に対応した画像表示装置（Ａ）９１０が３台、２Ｋ表示のみに対応した画像表示装置（Ｂ）９２０が３台ある。識別ＩＤから画像表示装置（Ａ）９１０の型番はＤＩＳＰ−２０Ｘ、画像表示装置（Ｂ）９２０の型番はＤＩＳＰ−１００Ｐであることがわかる。また、撮像装置９３０が１台あり、４Ｋ又は２Ｋの画像を出力可能である。ユーザは、撮像装置９３０といずれのかの画像表示装置とを接続して、撮像装置９３０から出力させた画像を画像表示装置により所望の設定（例えば４Ｋ）で表示させたい、という状況を想定する。
【００６３】
図９は、実施例２に係る上記の機器群の機能構成を示すブロック図である。実施例１との相違点は、携帯端末１５０に機能選択部７０１が追加されたことである。
機能選択部７０１は、ユーザから所望の画像処理機能を指定する指示の入力を受け付ける。機能選択部７０１は、図１２（Ａ）に示すような機能選択画面を表示して、ユーザに使用したい機能を選択させる。
【００６４】
認識された機器において、ユーザに指定された画像処理機能を共通の画像処理機能として有する機器の組み合わせを求める処理を図１０のフローチャートを用いて説明する。図１０のフローチャートは、実施例１の図３のフローチャートにおいて、各機器の機能情報に基づき共通の画像処理機能を抽出するステップＳ３０７における処理内容を詳細に示したものである。ステップＳ３０６まで進み、カメラ１５１で撮影した機器の認識が全て完了しているとする。
【００６５】
（ステップＳ８０１）
まず、ステップＳ８０１において、機能選択部７０１は、撮像装置９３０から出力する画像を画像表示装置により表示させるときに使用したい画像処理機能を指定するユーザ操作を受け付ける。詳細には、機能選択部７０１は、携帯端末１５０の画面に、図１２（Ａ）のような使用したい機能を選択するための機能選択画面のＧＵＩ（Graphical User Interface）を表示させる処理を行う。機能選択部７０１は、機能選択画面のＧＵＩを構成する画像を生成して画像合成部１５８へ出力する。ここでは、機能選択部７０１は、撮像装置９３０の機能情報（図６（Ｃ））に基づき機能選択画面を生成する。
【００６６】
図１２（Ａ）の例では、図６（Ｃ）に示す撮像装置９３０の機能のうち特徴的な４つの機能に絞って、機能選択画面の選択肢とする例を示すが、機能選択画面で表示する選択肢はこれに限らない。撮像装置９３０の機能情報に含まれる全ての機能を表示しても良いし、図示した４つの機能より少ない機能を選択肢として表示しても良い。ユーザは、携帯端末１５０に備わるボタンやタッチパネルに対し、機能選択画面のＧＵＩを見ながら操作を行うことで、所望の機能を指定する指示を入力することができる。これらボタンやタッチパネル等の入力手段は、機能選択部７０１がその機能の一部として有しているものとする。
【００６７】
図１２（Ａ）に示すように、機能選択画面のＧＵＩは、各選択肢の機能に対応するチェックボックス９８０を含み、ユーザに指定された機能に対応するチェックボックス９８０にチェックマークが表示されるように構成されている。なお、ユーザに所望の機能を指定させるためのＧＵＩの構成はこれに限らない。
ここでは、ユーザが、画像表示を行う際の所望の機能として、４Ｋ画像表示とＬｏｇガンマを指定したとする。図１２（Ａ）に示すように、４Ｋ画像表示とＬｏｇガンマに対応するチェックボックス９８０にチェックマークが表示されている。指定された機能の機能ＩＤは実施例１で説明した通り、それぞれ「ＦＭＴ４」、「ＧＭ＿ＬＯＧ」である。機能選択部７０１は、ユーザが指定した機能情報を機能情報処理部１５６に通知する。
【００６８】
（ステップＳ８０２）
ステップＳ８０２において、機能情報処理部１５６は、ユーザが指定した画像処理機能に関して連携可能な機器を検索する。すなわち、機能情報処理部１５６は、認識した複数の画像表示装置のうち、撮像装置９３０と組み合わせた場合に、ユーザが指定した画像処理機能を共通の画像処理機能として有する組み合わせになる画像表示装置を検索する。ここでは、ユーザが指定した画像処理機能は４Ｋ画像表示とＬｏｇガンマである。機能情報処理部１５６は、認識した複数の画像表示装置の機能情報に基づき、ユーザが指定した画像処理機能に対応する機能ＩＤ「ＦＭＴ４」、「ＧＭ＿ＬＯＧ」をもつ画像表示装置を探索する。図６（Ａ）に示す画像表示装置（Ａ）９１０の機能情報と、図６（Ｂ）に示す画像表示装置（Ｂ）９２０の機能情報を参照すると、機能ＩＤ「ＦＭＴ４」、「ＧＭ＿ＬＯＧ」を有するのは画像表示装置（Ａ）９１０である。
【００６９】
機能情報処理部１５６は、撮像装置９３０と画像表示装置（Ａ）９１０との組み合わせを、ユーザが指定した画像処理機能を共通の画像処理機能として有する機器の組み合わせであると判定する。すなわち、画像表示装置（Ａ）９１０を、ユーザが指定した画像処理機能に関して、撮像装置９３０と連携可能と判定する。一方、画像表示装置（Ｂ）９２０は、４Ｋ表示及びＬｏｇガンマの機能ＩＤを有しない。そのため、機能情報処理部１５６は、画像表示装置（Ｂ）９２０を、撮像装置９３０との組み合わせにおいてユーザが指定した画像処理機能を共通の画像処理機能として有することになる機器ではないと判定する。すなわち、画像表示装置（Ｂ）９２０を、ユーザが指定した画像処理機能に関して、撮像装置９３０と連携可能ではないと判定する。
【００７０】
（ステップＳ８０３）
ステップＳ８０３において、連携可能な機器がないと判定された場合（Ｎｏ）、ステップＳ３０７に続くステップＳ３０８において、生成部１５７は、図１２（Ｂ）のような連携可能な機器がないことを示す機能情報画像９９０を生成し画像合成部１５８に出力する。機能情報画像９９０は、ユーザに指定された機能を共通の画像処理機能として有するような機器の組み合わせがないことを示す。連携可能な機器がある場合（Ｙｅｓ）は、ステップＳ８０４に進む。
【００７１】
（ステップＳ８０４）
ステップＳ８０４において、機能情報処理部１５６は、ユーザが指定した画像処理機能を共通の画像処理機能として有する機器の組み合わせ（連携機器）を確定する。ここでは、機能情報処理部１５６は、撮像装置９３０と画像表示装置（Ａ）９１０との組み合わせを連携機器として確定し、連携機器の情報を生成部１５７に通知する。ステップＳ３０７に続くステップＳ３０８において、生成部１５７は、連携機器の情報を示す画像を生成し、画像合成部１５８に出力する。これにより、図１１（Ｂ）のように、撮像装置９３０と画像表示装置（Ａ）９１０の近傍に、これらの機器が連携可能であることを示す機能情報画像９４０が表示される。機能情報画像９４０は、撮像装置９３０と画像表示装置（Ａ）９１０とが、ユーザに指定された画像処理機能である４Ｋ画像表示及びＬｏｇガンマを共通する画像処理機能として有する機器の組み合わせであることを示す画像である。この機能情報画像９４０により、ユーザは、認識された機器のうちどの機器が、指定した画像処理機能を共通する画像処理機能として有する機器の組み合わせに含まれる機器であるかを知ることができる。
【００７２】
以上のように、実施例２では、認識した機器のうちから、ユーザに指定された機能を共通の画像処理機能として有する機器の組み合わせを求め、当該組み合わせを示す機能情報画像を撮影画像に合成して携帯端末１５０の画面に表示する。これにより、ユーザは、どのような機器を組み合わせれば、所望の機能が使用できるか簡単に知ることができる。
【００７３】
（実施例３）
実施例３について説明する。実施例３では、撮像装置に記録されている画像データを再生可能な機器の組み合わせの情報を示す機能情報画像を撮影画像に合成して表示する例について示す。実施例３は、ユーザが視聴したい画像データを記憶した装置があるが、それを再生して鑑賞するためにどの機器を使用すればわからないような状況において、ユーザの利便性を向上させることができる実施例である。実施例２では、ユーザにより指定される画像処理機能が撮像装置から出力される４Ｋ及びＬｏｇガンマの画像の表示である場合に、当該指定された画像処理機能を共通する画像処理機能として有する機器の組み合わせを求めて表示する例を説明した。実施例３では、ユーザにより指定される画像処理機能が４ＫのＲＡＷデータの現像及び表示である場合に、当該指定された画像処理機能を共通する画像処理機能として有する機器の組み合わせを求めて表示する例を説明する。
【００７４】
実施例３に係る表示装置及びその制御方法の適用対象の機器群を図１５（Ａ）に示す。機器群には、画像表示装置（Ａ）１３１０、画像表示装置（Ｂ）１３２０、ＲＡＷ現像装置１３３０及び撮像装置１３４０が含まれ、各々画像ケーブルで接続されている。撮像装置１３４０には、ＲＡＷフォーマットの４Ｋ画像（３８４０×２１６０）データ（ＲＡＷデータ）が保存されている。この４ＫのＲＡＷデータを表示するためには、撮像装置１３４０に保存されているＲＡＷデータを読み出して現像し、さらに４Ｋ画像表示可能な画像表示装置に出力する必要がある。
【００７５】
図１３は、上記の機器群の機能構成を示すブロック図である。図１３に示す機器群の構成と実施例１で説明した機器群の構成との相違点は、画像記録部１１０１と画像データリスト取得部１１０２である。画像記録部１１０１は、撮像装置１２０で撮影した画像データを記録しておく記録媒体である。画像記録部１１０１には、図１６（Ａ）に示すように画像Ａ〜Ｄの４つの画像データが記録されているものとする。画像記録部１１０１は、画像データのリストも記録している。携帯端末１５０の画像データリスト取得部１１０２は、無線ネットワーク１７０を介して、撮像装置１２０に記録されている画像データリスト及び記録されている画像データのフォーマットの情報を取得する。
【００７６】
実施例３における機能情報画像を表示する処理を図１４のフローチャートを用いて説明する。図１４のフローチャートは、図３のフローチャートにおいて、各機器の機能情報から共通の画像処理機能の情報を抽出するステップＳ３０７における処理内容を詳細に示したものである。
【００７７】
（Ｓ１２０１）
ステップＳ１２０１において、画像データリスト取得部１１０２は、図１６（Ａ）に示すような画像データ選択画面を携帯端末１５０の表示部１５２に表示させる処理を行う。画像データリスト取得部１１０２は、画像データ選択画面のＧＵＩを構成する画像データを生成して画像合成部１５８へ出力する。このＧＵＩを表示させることにより、画像データリスト取得部１１０２は、再生したい画像データを指定するユーザ操作を受け付ける。ユーザは、携帯端末１５０に備わるボタンやタッチパネルに対し、画像データリストのＧＵＩを見ながら操作を行うことで、再生したい画像データを指定する指示を入力することができる。これらボタンやタッチパネル等の入力手段は、画像データリスト取得部１１０２がその機能の一部として有しているものとする。
【００７８】
画像データリスト取得部１１０２は、無線ネットワーク１７０を介して、撮像装置１２０の画像記録部１１０１から画像データリストを取得して、画像データ選択画面の表示処理を行う。ここでは、画像データ選択画面において、ユーザが画像Ｂを選択（指定）する操作を行ったとする。図１６（Ａ）に示すように、画像Ｂは４Ｋ（３８４０×２１６０）のＲＡＷデータである。画像データリスト取得部１１０２は、選択された画像データのフォーマット情報を機能情報処理部１５６に通知する。
【００７９】
（Ｓ１２０２）
ステップＳ１２０２において、機能情報処理部１５６は、画像データリスト取得部１１０２から取得したユーザにより選択（指定）された画像データのフォーマット情報に基づき、ユーザに指定された画像データの再生に必要な画像処理機能を特定する。機能情報処理部１５６は、この必要な画像処理機能と、認識した各機器の機能情報とに基づき、以下のステップで示すように、認識した複数の機器のうちに、指定された画像データ（画像Ｂ）を再生可能な機器の組み合わせがあるか判定する。すなわち、機能情報処理部１５６は、画像Ｂの再生という画像処理機能を共通の画像処理機能として有する機器の組み合わせがあるか判定する。画像Ｂは４ＫのＲＡＷデータであるから、画像Ｂの再生に係る画像処
理機能は、４Ｋ画像表示とＲＡＷ現像である。
【００８０】
（Ｓ１２０３）
ステップＳ１２０３において、機能情報処理部１５６は、認識した機器のうちに、４Ｋ画像表示の機能を有する画像表示装置があるか判定する。機能情報処理部１５６は、機能ＩＤ「ＦＭＴ＿４」の機能をもつ画像表示装置を認識した機器のリスト（図７（Ｃ）に示す）から検索する。認識した各機器の機能情報（図６（Ａ）〜図６（Ｄ）に示す）を参照すると、画像表示装置（Ａ）１３１０（型番ＤＩＳＰ−２０Ｘ）が４Ｋ画像表示の機能を有していることがわかる。この場合、機能情報処理部１５６は、認識した機器のうちに、４Ｋ表示可能な画像表示装置があると判定し（ＹＥＳ）、ステップＳ１２０４に進む。認識した機器のうちに、４Ｋ表示可能な画像表示装置がない場合（ＮＯ）、このフローチャートの処理は終了する。この場合、機能情報処理部１５６は、生成部１５７に、図１６（Ｂ）に示すような「画像Ｂを再生可能な機器がない」ことを示す機能情報画像１３５０を表示するように要求する。
【００８１】
（Ｓ１２０４）
ステップＳ１２０４において、機能情報処理部１５６は、認識した機器のうちに、ＲＡＷデータの現像の機能を有する機器があるか判定する。機能情報処理部１５６は、機能ＩＤ、「ＣＬ＿ＲＡＷ」の機能をもつ機器を認識した機器リスト（図７（Ｃ））から検索する。認識した各機器の機能情報（図６（Ａ）〜図６（Ｄ）に示す）を参照すると、ＲＡＷ現像装置１３３０（型番ＣＮＶ−３６５５）がＲＡＷデータ現像の機能を有していることがわかる。そこで、この場合、機能情報処理部１５６は、認識した機器のうちに、ＲＡＷデータの現像の機能を有する機器があると判定し（ＹＥＳ）、ステップＳ１２０５に進む。一方、ＲＡＷ現像可能な装置がない場合（ＮＯ）には、機能情報処理部１５６は、生成部１５７に、図１６（Ｂ）に示すような機能情報画像１３５０を表示するように要求する。
なお、ステップＳ１２０３及びステップＳ１２０４の処理内容は、ユーザに指定された画像処理機能が４Ｋ画像表示及びＲＡＷ現像である場合の例であり、上記の例に限定されない。ステップＳ１２０３及びステップＳ１２０４の処理内容は、ユーザに指定された画像処理機能に応じて異なる。
【００８２】
（Ｓ１２０５）
ステップＳ１２０５において、機能情報処理部１５６は、ユーザに指定された画像データＢの再生に必要な画像処理機能を共通の画像処理機能として有する機器の組み合わせ（連携機器）を確定する。ここでは、機能情報処理部１５６は、撮像装置１３４０、画像表示装置（Ａ）１３１０及びＲＡＷ現像装置１３３０の組み合わせを連携機器として確定する。機能情報処理部１５６は、連携機器の情報を、生成部１５７に通知する。ステップＳ３０７に続くステップＳ３０８において、生成部１５７は、連携機器の情報を示す画像を生成し、画像合成部１５８に出力する。これにより、図１５（Ｂ）に示すように、撮影画像に連携機器の情報を示す画像（機能情報画像１３５０）が表示される。機能情報画像１３５０の画像を構成する矢印は、４ＫのＲＡＷデータを撮像装置１３４０から読み出し、ＲＡＷ現像装置１３３０で現像し、画像表示装置（Ａ）１３１０で表示するまでの画像の流れの経路を示している。この機能情報画像１３５０により、ユーザは、認識された機器のうちどの機器が、指定した画像データの再生に必要な機器であるか把握することができ、利便性が高まる。
【００８３】
以上のように、実施例３においては、ユーザが再生を指定した画像データの規格に基づき、その画像データを再生可能な機器の組み合わせを求め、当該組み合わせを示す機能情報画像を撮影画像に合成して携帯端末１５０の画面に表示する。これにより、ユーザは、どのような機器を組み合わせれば指定した画像を再生することができるか簡単に知ること
ができる。
【００８４】
（実施例４）
実施例４について説明する。実施例４は、実施例３においてユーザが指定した画像データを再生可能な機器の組み合わせがない場合に、既存の機器との組み合わせで当該画像データの再生が可能となるような候補機器の情報を示す画像を撮影画像に合成して表示する例である。
実施例４に係る表示装置及びその制御方法の適用対象の機器群を図１９に示す。機器群には、画像表示装置（Ａ）１６１０、画像表示装置（Ｂ）１６２０及び撮像装置１６４０が含まれ、各々画像ケーブルで接続されている。実施例３との相違点は、ＲＡＷ現像装置１３３０がないことである。
【００８５】
図１７は、上記の機器群の機能構成を示すブロック図である。図１７に示す機器群の構成と実施例３で説明した機器群の構成との相違点は、候補機器検索部１４０１及び機器データベース１４０２である。
候補機器検索部１４０１は、機能情報処理部１５６の機器検索要求に応じて、機器データベース１４０２を検索して、機能情報処理部１５６に要求された条件を満たす候補機器の情報を取得する第３の取得手段である。
機器データベース１４０２は、ネットワーク上にあるサーバーであり、所定の機器の型番及び画像処理機能の情報を記憶している記憶装置である。
【００８６】
実施例４における機能情報画像を表示する処理を図１８のフローチャートを用いて説明する。図１８のフローチャートと、実施例３の図１４のフローチャートとの相違点は、ステップＳ１２０４においてＲＡＷ現像可能な装置がないと判定された場合に、ステップＳ１５０１に進む点である。ステップＳ１５０１では、後述するように、ＲＡＷ現像可能な候補機器を検索して、続くステップＳ１５０２では、見つかった候補機器を含めて連携機器が確定され、当該連携機器の情報を携帯端末の画面に表示する処理が行われる。実施例３で説明した処理については詳細な説明を割愛する。
【００８７】
（Ｓ１５０１）
ステップＳ１５０１において、機能情報処理部１５６は、候補機器検索部１４０１に対してＲＡＷ現像が可能な機器を機器データベース１４０２から検索するように要求する。候補機器検索部１４０１は、無線ネットワーク１７０を介して、機器データベース１４０２にアクセスしてＲＡＷ現像可能な機器の情報を取得する。候補機器検索部１４０１は、機器ＩＤ「ＣＬ＿ＲＡＷ」をもつ機器を機器データベースから検索し、見つかった候補機器の情報を機能情報処理部１５６へ出力する。ここでは、検索により見つかった候補機器は、型番「ＣＮＶ−６６００ＸＰ」のＲＡＷ現像装置であるとする。候補機器は、既存の機器との組み合わせることにより、ユーザに指定された画像データの再生に必要な画像処理機能を共通の画像処理機能として有することになる機器である。
【００８８】
（Ｓ１５０２）
ステップＳ１５０２において、機能情報処理部１５６は、候補機器を含めて、ユーザに指定された画像データの再生に必要が画像処理機能を共通の画像処理機能として有する機器の組み合わせ（連携機器）を確定する。ここでは、機能情報処理部１５６は、画像表示装置（Ａ）１６１０、撮像装置１６４０及び候補機器であるＲＡＷ現像装置（Ｂ）１６５０の組み合わせを連携機器として確定する。機能情報処理部１５６は、連携機器の情報を、生成部１５７に通知する。生成部１５７は、連携機器の情報を示す画像を生成し、画像合成部１５８に出力する。これにより、図１９に示すように、撮影画像に連携機器の情報を示す画像（機能情報画像１６８０）が表示される。機能情報画像１６８０により、ユーザは、認識された既存の機器のうちには指定した画像データの再生が可能な機器がないが
、候補機器であるＲＡＷ現像装置（Ｂ）１６５０があれば、指定した画像データが再生できることを容易に把握できる。
【００８９】
以上、実施例４では、ユーザが再生を指定した画像データに基づき、その画像データを再生可能な機器の組み合わせ（連携機器）がない場合に、候補機器を機能情報画像として表示することで、ユーザは、画像データを再生するための手段を簡単に知ることができる。
【００９０】
なお、実施例２において、ユーザが指定した機能を有する機器がない場合においても、候補機器の情報を機能情報画像により表示するようにしてもよい。例えば、実施例２では、ユーザが画像表示に関する機能として４ＫとＬｏｇガンマを指定した場合を例示した。撮像装置９３０との組み合わせでこれら機能を共通の画像処理機能として有する機器の組み合わせが存在しない場合（図１０のＳ８０３でＮＯ）、４Ｋ画像表示及びＬｏｇガンマ表示を機能として有する画像表示装置の情報を機器データベース１４０２から検索する。そのような画像表示装置が検索により見つかった場合、当該機器を候補機器として、候補機器の情報を含む機能情報画像を生成して撮影画像に合成してユーザに提示するようにしても良い。
【００９１】
（実施例５）
実施例５について説明する。実施例５は、共通の画像処理機能を有する複数の機器の組み合わせに対し、当該複数の機器の設定を繰り返し取得して監視し、いずれかの機器において画像処理機能の設定に変化があった場合にそれを通知する表示を行う例である。
【００９２】
実施例５に係る表示装置及びその制御方法の適用対象の機器群を図２２（Ａ）に示す。機器群には、同じ撮像装置１９１０、色変換装置１９２０及び画像表示装置１９３０がそれぞれ３台ある。機器の組み合わせは、機器セット（Ａ）１９０１〜機器セット（Ｃ）１９０３の３セットある。実施例５の適用が想定される場面は、例えば映画の撮影現場である。映画撮影では、複数の異なるアングルから同時に同じ被写体を撮影することがある。その場合、撮像装置１９１０を複数台設置して、各撮像装置１９１０に画像表示装置１９３０を接続して、各撮像装置１９１０による撮影画像を各画像表示装置１９３０で確認することがある。また、撮像装置１９１０と画像表示装置１９３０の間に、色変換装置１９２０を接続して、ユーザが所望のルック（色の見え）で画像を確認できるようにすることもある。
【００９３】
色変換装置１９２０は、１ＤＬＵＴや３ＤＬＵＴにより、入力される画像データの色を調整して出力する。映画の撮影現場のような適用例では、機器セット（Ａ）１９０１〜機器セット（Ｃ）１９０３が全て、同じルックになっていることが重要である。すなわち、各機器セットの色変換装置１９２０に設定されているＬＵＴが同じになっている必要がある。しかし、誤操作等により、例えば、ある１つの機器セットでのみ色変換装置１９２０のＬＵＴ設定が変わってしまうというケースがあり得る。ユーザがそれに気付かずに撮影が進行してしまうと、マルチアングルのいずれかだけ色味が変わってしまうことになり好ましくない。実施例５では、共通の連携設定がされている複数の機器セットがある場合に、各機器セットの連携設定を監視し、連携設定に変化があったときにそれをユーザに通知することを可能にする。
【００９４】
図２０は、上記の機器群の機能構成を示すブロック図である。図２０に示す機器群の構成と、実施例１で説明した機器群の構成との相違点は、色変換装置１７１０と、携帯端末１５０の監視部１７５０が追加されている点である。色変換装置１７１０は、色変換部１７２０、色変換設定部１７３０及び色変換通信部１７４０を有する。
【００９５】
色変換部１７２０は、撮像装置１２０の出力部１２２から入力される画像データに対して、１ＤＬＵＴや３ＤＬＵＴにより色変換を施して出力する。１ＤＬＵＴはガンマ調整するための１次元の数値テーブルであり、３ＤＬＵＴは色域や画像の部分的な色を調整するための３次元の数値テーブルである。色変換部１７２０は、色変換設定部１７３０により設定されるＬＵＴを用いて色変換を行う。ユーザが指定する任意のＬＵＴファイルを読み込んで１ＤＬＵＴや３ＤＬＵＴとして適用することができる。
【００９６】
色変換設定部１７３０は、色変換部１７２０が色変換に用いるＬＵＴを設定する。色変換設定部１７３０は、複数のＬＵＴファイルをもっており、ユーザの指定により読み込むＬＵＴファイルを変えることで、ユーザは様々なルックで画像を確認することができる。予め色変換設定部１７３０が保持するＬＵＴファイルの他に、ユーザが外部から色変換装置１７１０に任意のＬＵＴファイルを読み込ませることができるようにしても良い。
【００９７】
色変換通信部１７４０は、無線ネットワーク１７０を介して、携帯端末１５０の端末通信部１５４とデータを通信する。端末通信部１５４は、色変換通信部１７４０を介して、色変換設定部１７３０から色変換部１７２０に適用されているＬＵＴの情報を、色変換装置１７１０の機能情報として取得する。
【００９８】
次に、実施例５における機能情報画像を表示する処理を図２１のフローチャートを用いて説明する。実施例１の図３のフローチャートとの相違点は、全ての機器を認識した後（Ｓ３０６実行後）に、Ｓ１８０１〜Ｓ１８０５の処理を行う点である。Ｓ３０１からＳ３０６までの処理については、実施例１と同様である。実施例１で説明した処理については詳細な説明を割愛する。
【００９９】
（Ｓ３０１〜Ｓ３０６）
ステップＳ３０１〜Ｓ３０６において、携帯端末１５０のカメラ１５１で機器セット（Ａ）１９０１〜機器セット（Ｃ）１９０３のそれぞれに含まれる撮像装置１９１０、色変換装置１９２０及び画像表示装置１９３０を認識する処理が行われる。なお、ここでは、各機器セットに含まれる撮像装置１９１０、色変換装置１９２０及び画像表示装置１９３０は、共通の画像処理機能としてＬｏｇガンマ及びＤＣＩ色域が設定されているものとする。また、色変換装置は、Ｌｏｇガンマ及びＤＣＩ色域の画像データに対し色変換が可能であり、各機器セットで共通に３ＤＬＵＴ（ファイル名：０００１）が設定されているものとする。
【０１００】
（Ｓ１８０１）
ステップＳ１８０１において、機能情報処理部１５６は、認識した各機器セットにおける画像処理機能の設定（連携設定という）のうち、変化の検出を行う対象（監視対象）の画像処理機能の設定について監視部１７５０に通知する。機能情報処理部１５６は、さらに、各機器セットに設定された連携設定の内容（値）を初期値として監視部１７５０に通知する。監視対象の連携設定及びその初期値を図２３（Ａ）に示す。ここでは、監視する連携設定は、撮像装置１９１０のＬｏｇガンマ、色変換装置１９２０の３ＤＬＵＴ（ファイル名：０００１）、画像表示装置１９３のＤＣＩ色域である。実施例５の携帯端末１５０は、監視対象の連携設定が、これらの初期値から変化したことが検出された場合に、ユーザへの通知を行う。ここでは、誤操作等で変化することが想定される各機器の画像処理機能の設定を監視対象とする。なお、上記の連携設定や監視対象は一例であり、これに限らない。どの機器においてどの機能を監視対象とするかは、予め定められていても良いし、ユーザが任意に決められるようにしても良い。
【０１０１】
（Ｓ１８０２）
ステップＳ１８０２において、監視部１７５０は、連携設定の監視を開始する。監視部
１７５０は、定期的に、繰り返し、端末通信部１５４を介して、カメラ設定部１２４、色変換設定部１７３０及びディスプレイ設定部１０４から設定を取得する。監視部１７５０は、繰り返し取得する連携設定の内容をステップＳ１８０１で取得した初期値と比較する。
【０１０２】
（Ｓ１８０３）
ステップＳ１８０３において、監視部１７５０は、新たに取得した現在の連携設定と初期値とが一致している場合（ＹＥＳ）、ステップＳ１８０５に進む。図２３（Ｂ）に、現在の連携設定が初期値と一致している場合を例示する。一方、新たに取得した現在の連携設定と初期値とが一致していない場合（ＮＯ）、ステップＳ１８０４に進む。図２３（Ｃ）に、現在の連携設定が初期値と一致してない場合を例示する。図２３（Ｃ）の例では、機器セットＢの色変換装置１９２０の設定だけが、ファイル名：ＡＡＡＡの３ＤＬＵＴを読み込んでいる状態に変化しており、図２３（Ｂ）に示す初期値と一致していない。この場合、監視部１７５０は、生成部１５７に、機器セットＢの色変換装置１９２０の設定が初期値から変化していることを通知する。
【０１０３】
（Ｓ１８０４）
ステップＳ１８０４において、生成部１５７は、連携設定に変化があったことを示す機能情報画像を生成する。これは、共通の画像処理機能を有する組み合わせに含まれる少なくともいずれかの機器において画像処理機能の設定に変化があったことをユーザに通知するための機能情報画像である。ここでは、生成部１５７は、機器セットＢの色変換装置１９２０の設定が初期値から変化していることを示す、図２４の機能情報画像１９１００を生成し、画像合成部１５８へ出力する。これにより、初期値から連携設定が変化した機器がどれかを示す機能情報画像（ここでは、機器セットＢの色変換装置１９２０を囲む円）と、具体的な変化の内容を示す画像（ここでは、３ＤＬＵＴファイルが書き換えられたことを通知する文字列）が表示される。
【０１０４】
（Ｓ１８０５）
ステップＳ１８０５において、監視部１７５０は、ユーザから監視終了が指示があったか確認する。監視終了の指示があるまで、監視部１７５０はステップＳ１８０２〜ステップＳ１８０４の処理を繰り返し、機器の連携設定の変化を監視し続ける。
【０１０５】
以上のように、実施例５においては、複数の機器の連携設定を監視し、ユーザが誤って設定を変更してしまったときに、その設定の変化をユーザに提示することで、誤操作等による連携設定の意図しない変化をユーザが気付きやすくすることができる。
【０１０６】
なお、上記実施例では、ＡＲコードに各機器の識別情報が符号化されている例を説明したが、ＡＲコードに各機器の画像処理機能の情報（機能情報）が符号化されていても良い。この場合、機能情報取得部１５５は、無線ネットワーク１７０経由で各機器から機能情報を取得する代わりに、撮影画像に写ったＡＲコードの解析により各機器の機能情報を取得する。ＡＲコードが筐体に印刷された固定的なマーカである場合には、ＡＲコードにはその機器が実行可能な複数の画像処理機能の情報を符号化する。この場合、現在の動作設定の情報を取得する必要があるときには無線ネットワーク１７０経由で各機器から現在の動作設定の情報を取得する。ＡＲコードが画面表示される可変マーカである場合には、ＡＲコードに現在の動作設定の情報をも符号化しても良い。
【０１０７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。ま
た、１以上の機能を実現する回路（例えば、ＡＳＩＣ）によっても実現可能である。
【符号の説明】
【０１０８】
１５０：携帯端末、１５１：カメラ、１５２：表示部、１５３：機器認識部、１５５：機能情報取得部、１５６：機能情報処理部、１５７：生成部、１５８：画像合成部
【図１】
2017021656.tif 000003
【図２】
2017021656.tif 000004
【図３】
2017021656.tif 000005
【図４】
2017021656.tif 000006
【図５】
2017021656.tif 000007
【図６】
2017021656.tif 000008
【図７】
2017021656.tif 000009
【図８】
2017021656.tif 000010
【図９】
2017021656.tif 000011
【図１０】
2017021656.tif 000012
【図１１】
2017021656.tif 000013
【図１２】
2017021656.tif 000014
【図１３】
2017021656.tif 000015
【図１４】
2017021656.tif 000016
【図１５】
2017021656.tif 000017
【図１６】
2017021656.tif 000018
【図１７】
2017021656.tif 000019
【図１８】
2017021656.tif 000020
【図１９】
2017021656.tif 000021
【図２０】
2017021656.tif 000022
【図２１】
2017021656.tif 000023
【図２２】
2017021656.tif 000024
【図２３】
2017021656.tif 000025
【図２４】
2017021656.tif 000026
【図２５】
2017021656.tif 000027
【図２６】
2017021656.tif 000028